(57)【特許請求の範囲】
【請求項１】
リモコンキーボード本体と、リモコンキーボード本体の裏面に起伏自在に配備される嵌挿係止用板材とから成り、嵌挿係止用板材は自動販売機のコイン投入口に嵌入し得る大きさに設定され、コイン投入口に対し挿脱可能に嵌着するものであることを特徴とする自動販売機用リモコンキーボード。
【発明の詳細な説明】
【０００１】
【発明の属する技術分野】
この発明は、自動販売機内の各種電気機器を機体外部から操作するのに使用される自動販売機用リモコンキーボードに関する。
【０００２】
【従来の技術】
従来の自販機用リモコンキーボードは、上開口有底のケース体と、ケース体の上開口面を閉成する表面パネル板とからなり、表面パネル板には表示部と複数のキーから成るテンキー操作部とが配備されている（図示せず）。
【０００３】
自販機用リモコンキーボードは、自販機の外部から機体内部の電気機器のチェック、或いは在庫商品チェック等を行う際に使用される。
【０００４】
【発明が解決しようとする課題】
自販機用リモコンキーボードにより、機体外部から、例えば機体内の商品在庫をチェックする際は、操作者は記録簿（記録ノート）と、ペンと、リモコンキーボードとを両手に持たなければならない。
ところが、自販機は直方体のボックス体であり、全表面が平滑面であるため、リモコンキーボードや記録簿を引っ掛け係止する部分、或いは載せ置く部分は存在しない。
【０００５】
このため、操作者は、記録簿を一旦、地面に置くか、或いは自販機の天板上に載置し、片手にリモコンキーボードを持ち、他方のペンを持つ手でリモコンキーボードのテンキーを操作した後、リモコンキーボードと記録簿とを持ち替えて、表示部に表示された数値を記録簿に記入している。
この持ち替え作業が、極めて煩瑣である許かりでなく、雨など天候の悪い日には一層操作が困難となる等の不利があった。
【０００６】
この発明は、以上のような課題を解消させ、リモコンキーボードを自販機に簡易に付け外しでき、操作者の両手を自由状態に保つことで、リモコンキーボードの操作、記録簿への記入操作を容易に実行し得る自販機用リモコンキーボードを提供することを目的とする。
【０００７】
【課題を解決するための手段及び作用】
この目的を達成させるために、この発明の請求項１に記載の自動販売機用リモコンキーボードでは次のような構成としている。
自動販売機用リモコンキーボードは、表面に表示部とテンキー操作部とを備えたリモコンキーボード本体と、リモコンキーボード本体の裏面に配備され、自販機の機体適所にリモコンキーボード本体を吸着させる吸着部材とから成ることを特徴としている。
【０００８】
このような構成を有する自動販売機用リモコンキーボードでは、吸着部材として例えば、マグネット（或いは吸盤）を利用している。
リモコンキーボードの裏面に、吸着部材として磁石を配備した場合は、自販機の機体正面の板金塗装面（コイン投入口或いは釣銭返却口が存在する機体正面）に対し、脱着可能にリモコンキーボードを吸着させ得る。
【０００９】
これにより、操作者の両手は自由となり、片手で記録簿を持ち、他方の手でペンを持ち、ペンを持つ手でリモコンキーボードのテンキーを操作し、表示部に表示される数値を記録簿に記入し得る。従って、操作者の目線に対応してリモコンキーボードを自販機の適所に取付けでき、テンキー操作が簡易な許かりでなく、記録簿への記入操作が容易となる。
【００１０】
また、この発明の請求項３記載の自動販売機用リモコンキーボードでは、次のような構成としている。
自動販売機用リモコンキーボードは、表面に表示部とテンキー操作部とを備えたリモンキーボード本体と、リモコンキーボード本体の裏面に起伏自在に取付けられ、自販機のコイン投入口に対し挿脱可能に嵌着する嵌挿係止用板材とから成るとこを特徴としている。
【００１１】
このような構成を有する自動販売機用リモコンキーボードでは、自販機の機体正面に存在するコイン投入口を利用し、このコイン投入口に嵌挿係止用板材を嵌着することで、リモコンキーボードを自販機に付け外し可能に取付けることとしている。
【００１２】
嵌挿係止用板材は、コイン投入口（水平状溝孔）の開口幅及び開口高さに対応する幅と厚みを有する板体に形成され、ヒンジを介してリモンキーボード本体の裏面に取付けられる。従って、リモコンキーボードを使用しない状態において、嵌挿係止用板材はヒンジによりリモコンキーボード裏面に重合接面しており、収納に嵩張ることはない。
【００１３】
また、自販機のコイン投入口は、商品購入の際にのみ使用される部分であり、操作者がリモコンキーボードを操作する際は、需要者が商品を購入しない寸暇に行うため、コイン投入口を利用することに一切不都合はない。
【００１４】
従って、嵌挿係止用板材をリモコンキーボード本体の裏面に対し直角状に起立させ、コイン投入口に嵌入させることで、リモコンキーボード本体は自販機の機体正面に取付けられ、操作者の両手は自由となる。通常、コイン投入口は立ち姿勢の需要者のほぼ目線近傍にあるから、リモコン操作が極めて簡易である許かりでなく、記録簿への記入操作も容易に実行し得る。
【００１５】
【発明の実施の形態】
以下、図面に基づき本発明に係る自動販売機用リモコンキーボードの具体的な実施の形態を説明する。
【００１６】
図２は、この発明に係る請求項１及び請求項２記載の自動販売機用リモコンキーボードを示す斜視図である。
自販機用リモコンキーボードは、リモコンキーボード本体１と、リモコンキーボード本体１の裏面に配備される吸着部材２とから成る。
【００１７】
リモコンキーボード本体１は、上開口有底のケース体１１と、ケース本体１１の開口上面を閉成する表面パネル板１２とから成る。
表面パネル板（本体１の表面１２）１２には、図１で示すように、表示部１２ａと複数のテンキーから成るテンキー操作部１２ｂが配備してある。
【００１８】
上記吸着部材２は、リモコンキーボード本体１の裏面（ケース体１１の底面）１１ａの適所に、凹陥部を設け、この凹陥部に一定厚みを有する矩形板状のマグネット（永久磁石）２１を臨出状に嵌着固定している。
【００１９】
また、図２の仮想線で示すように、吸着部材はマグネット板２１に変えて例えばゴム或いはビニール製の吸盤２２であっても良い。
【００２０】
このような構成を有する自動販売機用リモコンキーボードでは、リモコンキーボード本体１の裏面に、吸着部材２として磁石板２１を配備した場合は、図１で示すように、自販機４の機体正面４１の板金塗装面（コイン投入口或いは釣銭返却口が存在する機体正面）４１ａに、脱着可能にリモコンキーボード本体１を吸着させ得る。
【００２１】
これにより、操作者の両手は自由となり、片手で記録簿を持ち、他方の手でペンを持ち、ペンを持つ手でリモコンキーボード本体１のテンキー１２ｂを操作し、表示部１２ａに表示される数値を記録簿に記入し得る。従って、リモコンキーボード本体１を操作者の目線に対応して、自販機４に取付けでき、テンキー操作が簡易な許かりでなく、記録簿への記入操作が容易となる。
【００２２】
また、吸着部材２をマグネット２１とした場合は、自販機４の機体４１のうち、金属板（磁性体）で構成された部分でなければならない制約があるが、吸着部材２を吸盤２２とした場合は、図１の仮想線で示すように、例えば機体４１の電照板（商品見本展示部を構成する透明プラスチック板）４２に対しても吸着させ得、機体４１への取付け場所の制約はない。
【００２３】
図３は、この発明に係る請求項３記載の自動販売機用リモコンキーボードの実施の形態を示す斜視図である。
リモコンキーボード本体１は、上記請求項１（請求項２）の実施の形態で示したものと同一であり、詳細な説明は省略する。従って、リモコンキーボード本体１の裏面１１ａに配備される嵌挿係止用板材３についてのみ詳説する。
【００２４】
このリモコンキーボードでは、図３で示すように、リモコンキーボード本体１の裏面１１ａに、嵌挿係止用板材３を配備した点に特徴がある。
嵌挿係止用板材３は、図５で示す自販機４の機体正面４１に配備されるコイン投入口４３に嵌入し得る大きさに設定される。コイン投入口４３は、図５及び図４で示すように、一定厚みを有する円板状の投入口本体４３ａと、投入口本体４３ａの面内に開設された水平状溝孔である投入口部４３ｂとからなる。この投入口部４３ｂは、最大５００円硬貨が投入し得る大きさに設定されている。
【００２５】
従って、嵌挿係止用板材３は、投入口部４３ｂの開口幅及び開口高さに対応し、ほぼ適性に嵌挿し得る幅、厚みを有する平面形状矩形状の板体３１に形成してある。また、この板体３１はヒンジ部３２を介して起伏可能にリモコンキーボード本体１の裏面１１ａに取付けられている。
【００２６】
このような構成を有する自動販売機用リモコンキーボードでは、リモコンキーボードの操作に際し、ヒンジ部３２を介して嵌挿係止用板材（板体３１）３を立ち上がらせる。これにより、リモコンキーボード本体１の裏面１１ａに対し重合状に接面していた嵌挿係止用板材３が裏面１１ａに対し直角状に突出する。
【００２７】
図４で示すように、この状態で嵌挿係止用板材（板体３１）３をコイン投入口４３の投入口部４３ｂ内へ嵌挿する。嵌挿係止用板材３は、投入口部４３ｂの開口幅、開口高さに対応する大きさに設定してある。従って、僅かな嵌入深さで、嵌挿係止用板材３の嵌入上・下面及び嵌入両端面が投入口部４３ｂの開口周縁に引っ掛かり係止する。従って、リモコンキーボード本体１は、自販機４の機体正面４１に取付けられる。
【００２８】
自販機４のコイン投入口４３は、自販機の全表面の中で、唯一、物体を引っ掛け係止し得る箇所であり、且つ商品購入の際にのみ使用される部分である。従って、操作者がリモコンキーボード本体１を操作する際は、需要者が商品を購入しない寸暇に行うため、一切の不都合がなく有効利用し得る。
【００２９】
従って、嵌挿係止用板材３をリモコンキーボード本体１の裏面１１ａに対し起立させ、底面１１ａから直角状に突出した嵌挿係止用板材３をコイン投入口４３に嵌入させることで、リモコンキーボード本体１は自販機４の機体正面４１に取付けられ、操作者の両手が自由状態となる。通常、コイン投入口４３は立ち姿勢の需要者のほぼ目線近傍にあるから、リモコン操作及び表示部１２ａの表示目視が極めて簡易である許かりでなく、記録簿への記入操作も容易に実行し得る。
【００３０】
【発明の効果】
この発明では、以上のように、リモコンキーボード本体の裏面に、自動販売機のコイン投入口に嵌入し得る大きさの嵌挿係止用板材を起伏可能に配備することとしたから、リモコンキーボードを使用しない状態では嵌挿係止用板材はリモコンキーボード本体の裏面に重合接面し、嵩張らずに収納できる。また、リモコンキーボードの使用に際しては、嵌挿係止用板材を本体裏面に対し直角状に突出させ、コイン投入口に嵌挿するだけで、リモコンキーボード本体を自販機の機体正面に取り付け得る。更に、コイン投入口は、立ち姿勢の需要者のほぼ目線近傍に位置するから、リモコン操作者のテンキー操作並びに記入操作が容易となる許かりでなく、表示部の表示目視が極めて簡易となるなど、発明目的を達成した優れた効果を有する。
【図面の簡単な説明】
【図１】リモコンキーボードを自販機に吸着固定した状態を示す側面図である。
【図２】リモコンキーボードの裏面を示す斜視図である。
【図３】請求項３に係るリモコンキーボードの裏面を示す斜視図である。
【図４】請求項３のリモコンキーボードを機体に取付けた状態を示す説明図である。
【図５】リモコンキーボードを機体に取付けた状態を示す正面説明図である。
【符号の説明】
１      リモコンキーボード本体
２      吸着部材
３      嵌挿係止用板材
４      自動販売機
１１ａ  本体裏面
１２    本体表面
１２ａ  表示部
１２ｂ  テンキー操作部
２１    磁石板
２２    吸盤
４１    機体正面
４３    コイン投入口
４３ｂ  投入口部
【図１】
0003754544.tif 000002
【図２】
0003754544.tif 000003
【図３】
0003754544.tif 000004
【図４】
0003754544.tif 000005
【図５】
0003754544.tif 000006